(57)【特許請求の範囲】
【請求項１】
基端を回動自在に連結して開閉自在に設けた一対のグリップと、各グリップの先端側に対向して設けた発熱部と、補助ケースとを備え、各発熱部は対向面が平面状を成し、発熱部の裏面側には湾曲状を成すカール部が設けてあり、少なくとも一方のカール部の両側部には先端側から基端側に沿って形成された係合部が設けてあり、補助ケースは外側面がカール部の湾曲の曲率よりも小さい曲率の湾曲を成す略半円筒形状であり、内周側面に被係合部が形成してあり、補助ケースの被係合部をカール部の係合部に係合してカール部の先端から補助ケースを抜き差し自在としてあることを特徴とするヘアーアイロン。
【請求項２】
補助ケースの外周面に、周方向に沿った突条が間隔を空けて複数形成してあることを特徴とする請求項１に記載のヘアーアイロン。
【発明の詳細な説明】
【技術分野】
【０００１】
本発明は、髪毛をカールするヘアーアイロンに関する。
【背景技術】
【０００２】
特許文献１には、対向して設けた各発熱部に発熱部を覆うクロスサックを脱着自在に設け、クロスサックを装着して発熱部が髪毛に直接当たるのを防止したことが開示されている。
【０００３】
また、髪毛をカールするときには、髪毛を発熱部で挟み、そのまま湾曲した背面部の曲面を利用して髪毛を巻き上げてカールすることが公知である。
【先行技術文献】
【特許文献】
【０００４】
【特許文献１】実用新案登録第３１１７８８６号公報
【発明の概要】
【発明が解決しようとする課題】
【０００５】
しかしながら、特許文献１のヘアーアイロンは、一対の発熱部の対向面部をカバーして熱を抑える構成としたものであり、仮に特許文献１のヘアーアイロンで髪毛をカールするときには、発熱部で髪毛を挟み、髪毛を巻き込むようにしてカバーの両側部で髪毛を押圧することになるので、曲げ度合い大きいカールに限られてしまうという問題がある。
【０００６】
また、従来の背面部を湾曲した構成のヘアーアイロンにおいては、一定の曲げ度合いのカールに限られてしまう。
【０００７】
一方、ヘアーアイロンを用いて髪毛をカールするときに、種々のヘアースタイルや嗜好に応じて、髪毛のカールの曲げ度合い（曲率）を大きくしたり、小さくしたいという要求がある。
【０００８】
本発明は、上記事情に鑑みなされたものであり、一つのヘアーアイロンで髪毛をカールするときの曲げ度合いを変えることができるようにしたヘアーアイロンを提供することを目的とする。
【課題を解決するための手段】
【０００９】
前記課題を解決するために、請求項１に記載された発明は、基端を回動自在に連結して開閉自在に設けた一対のグリップと、各グリップの先端側に対向して設けた発熱部と、補助ケースとを備え、各発熱部は対向面が平面状を成し、発熱部の裏面側には湾曲状を成すカール部が設けてあり、少なくとも一方のカール部の両側部には先端側から基端側に沿って形成された係合部が設けてあり、補助ケースは外側面がカール部の湾曲の曲率よりも小さい曲率の湾曲を成す略半円筒形状であり、内周側面に被係合部が形成してあり、補助ケースの被係合部をカール部の係合部に係合してカール部の先端から補助ケースを抜き差し自在としてあることを特徴とする。
【００１０】
請求項２に記載された発明は、請求項１に記載された発明において、補助ケースの外周面に、周方向に沿った突条が間隔を空けて複数形成してあることを特徴とする。
【発明の効果】
【００１１】
請求項１に記載された発明によれば、髪毛をカールするときには、発熱部で髪毛を挟むようにして髪毛に沿って引き下ろすときに、グリップを回転させるようにして、髪毛を巻き上げ、発熱部で挟んだ髪毛をカール部に押し当てて熱によるカールくせを付ける。
【００１２】
カールの曲げ度合い（曲率）を小さくしたい場合には、補助ケースを装着してカール面の曲率を小さくする。これにより、補助ケースのカール面に沿って髪毛を押し当てて熱によるカールくせを付けることにより髪毛に曲げ度合いの小さいカールを施すことができる。
【００１３】
補助ケースを装着したり、外したりすることにより、一つのヘアーアイロンで髪毛をカールするときの曲げ度合いを変えることができる。
【００１４】
補助ケースの脱着により、カールの曲げ度合いを変えるので、カールの曲げ度合いの変更が容易にでき、且つ構成が簡易である。
【００１５】
補助ケースはグリップの先端側から挿入により装着するので、補助ケースの脱着が容易にでき、操作性が良い。
【００１６】
請求項２に記載された発明によれば、請求項１に記載された発明と同様な効果を奏すると共に、髪毛束が補助ケースの隣なり合う突条の間に入り込んだ状態で巻き上げられるので、髪毛が偏って巻き上げられることを防止できる。従って、髪毛をスムーズに巻き上げることができ且つ髪毛を均一にカールすることができる。
【図面の簡単な説明】
【００１７】
【図１】第１実施の形態に係るヘアーアイロンの斜視図である。
【図２】図１に示すヘアーアイロンを他の方向から見た斜視図である。
【図３】図２に示すヘアーアイロンにおいて、補助ケースを外した状態を示す斜視図である。
【図４】一方の腕部を先端側から見た正面図である。
【図５】第１実施の形態に係るヘアーアイロンの使用方法を説明した正面図である。
【図６】第２実施の形態に係るヘアーアイロンの斜視図である。
【図７】図６に示すヘアーアイロンにおいて、補助ケースを外した状態を示す斜視図である。
【図８】第２実施の形態に係るヘアーアイロンのカール部を抜き出して示す平面図である。
【図９】第２実施の形態の変形例に係るヘアーアイロンのカール部を抜き出して示す平面図である。
【発明を実施するための形態】
【００１８】
以下に、添付図面を参照しつつ本発明の第１実施の形態について説明する。図３に示すように、本実施形態のヘアーアイロン１は、対向して設けた一対の腕部３、５を備え、一方の腕部３には他方の腕部５が回動自在に設けてあり、一方の腕部３と他方の腕部５とは、回動軸７に設けたスプリング（図示せず）の付勢力により互いに開き方向に付勢されている。
【００１９】
一方及び他方の腕部３、５には、各々基端側（回動軸側）にグリップ９が設けてあり、グリップ９の先端には発熱部１１が設けられている。
【００２０】
各発熱部１１は対向面が平面であり、発熱部１１の裏面側に半円筒形状のカール部１３が設けてある。カール部１３は耐熱性樹脂材でできている。カール部１３の外周は断面が略半円の円弧を成している。このカール部１３には、図１及び図２に示すように、後述する補助ケース１５が脱着自在になっている。
【００２１】
図３に示すように、各カール部１３の延出方向（腕部の基端から先端に沿う方向）の両側には、延出方向に沿って係合部１７が形成してある。カール部１３に設けた係合部１７は間隔を空けて列状に突設する突部１７ａであり、髪毛をカールするときには突部１７ａ間に髪毛を分け入れることができるようになっている。
【００２２】
補助ケース１５は、図２及び図４に示すように、断面が略半円形状であり、湾曲した外周面１５ａがカール面になっている。補助ケース１５は半円の各端部に内周に向けて突設した被係合部１９が形成されており、被係合部１９は、長手方向（基端側から先端側）に連続した直線状を成し、カール部１３の先端から係合部１７に係合して挿入するようになっている。
【００２３】
また、補助ケース１５には、カール部１３の半円の略中央に当接する当接部２１が設けてあり、カール部１３に装着したときに補助ケース１５の半円の略中央を支持するようになっている。
【００２４】
グリップ９の先端は、外周がカール部１３の外面より外側に突設した段部２２が形成してあり、補助ケース１５をカール部１３の先端側から挿入したときに、補助ケース１５の挿入側端がグリップ９の段部２１に当接して補助ケース１５を位置決めするようになっている。尚、グリップ９の基端側に設けているのは電源コードの挿入部２３である。
【００２５】
次に、本実施の形態に係るヘアーアイロン１の使用方法、作用効果について説明する。  髪毛をストレートにする場合には、発熱部１１間に髪毛を挟んでヘアーアイロン１で髪毛を引き延ばすように、髪毛に対してアーアイロン１を直線状に引き下ろすようにして使用する。この場合には、発熱部１１のみを用いるので、補助ケース１５は装着していなくても良いし、装着したままでも良い。
【００２６】
髪毛をカールする場合において、カールの曲げ度合いを小さくする（曲率を小さくする）場合には、図３に示す状態において、カール部１３に補助ケース１５を装着する。補助ケース１５の装着は、カール部１３の先端から補助ケース１５を端から挿入し、カール部１３の両側に設けてある係合部１７に、補助ケース１５の被係合部１９を係合させて、押し込むようにして挿入する。補助ケース１５は、直線状に配置してある係合部１７に沿って被係合部１９が案内されて移動し、補助ケース１５の挿入側端がグリップ９の段部２２に当たるまで押し込み、補助ケース１５の挿入側端がグリップ９の段部２１に当たると、補助ケース１５が位置決めされる。
【００２７】
従って、補助ケース１５の装着は、カール部１３の先端側から補助ケース１５を押し込むだけで容易に装着でき、且つ位置決めできる。
【００２８】
髪毛をカールするときには、図５に示すように、発熱部１１、１１で髪毛を挟むようにして髪毛に沿って発熱部１１、１１を矢印Ｓ方向に引き下ろしつつ、グリップ９、９を矢印Ｔ方向に回転させるようにして、髪毛Ｗを巻き上げ、発熱部１１、１１で挟んだ髪毛Ｗを補助ケース１５の外面１５ａに押し当てて発熱部１１、１１の熱によるカールくせを付ける。
【００２９】
一方、髪毛カールの曲げ度合い（曲率）を大きくしたい場合には、補助ケース１５を外す。補助ケース１５は腕部の先端側から引き抜くことにより、容易に外すことができる。補助ケース１５を外した後、即ち、図３に示す状態において、図５に示す場合と同様に、発熱部１１、１１間に髪毛を挟み、カール部１３の外周面に髪毛を押し当てて曲率の大きなカール面で、カールくせを付ける。
【００３０】
この場合、係合部１７はカール部１３の長手方向に沿って間隔を空けた複数の突部１７ａで形成してあるので、突部１７ａ、１７ａ間に髪毛を分け入れることができ、係合部１７がカールの邪魔になることがない。
【００３１】
本実施の形態によれば、補助ケース１５を装着したり、外したりすることにより、一つのヘアーアイロン１で髪毛をカールするときの曲げ度合いを、曲げの大きいものと小さいものとに変えることができる。
【００３２】
補助ケース１５の脱着により、カールの曲げ度合いを複数設定できるので、カールの曲げ度合いの変更が容易にでき、且つ構成が簡易である。
【００３３】
補助ケース１５の被係合部１９は内周側に突設しているので、補助ケースを装着した場合には外面全体をカール面として利用でき、被係合部１９が邪魔にならない。
【００３４】
また、本実施の形態によれば、髪毛をストレートにする場合にも、カールする場合にも何れの場合にも使用できる。
【００３５】
以下に、本発明の他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。  第２実施の形態を、図６〜図８を参照して説明する。本実施の形態では、図７及び図８に示すように、カール部１３の外周面に、周方向に沿った複数の突条２０が、カール部１３の長手方向に沿って等間隔に且つ互いに平行に形成されている。各突条２０は、図８に示すように、カール部１３の長手方向に直交する方向に形成されている。また、図６に示すように、補助ケース１５の外周面にも同様な突条２４が形成されている。
【００３６】
本実施の形態では、図７に示すように、カール部１３に突部（係合部）１７аを設けておらず、補助ケース１５の被係合部１９とカール部１３の縁部２６とが係合して、補助ケース１５がカール部１３に対して、スライドして着脱自在となっている。
【００３７】
本実施の形態によれば、髪毛束がカール部１３の隣なり合う突条２０の間に入り込んだ状態で巻き上げられるので、髪毛が偏って巻き上げられることを防止できる。従って、髪毛をスムーズに巻き上げることができ且つ髪毛を均一にカールすることができる。
【００３８】
毛束が補助ケース１５の隣なり合う突条２４の間に入り込んだ状態で巻き上げられるので、髪毛が偏って巻き上げられることを防止できる。従って、髪毛をスムーズに巻き上げることができ且つ髪毛を均一にカールすることができる。
【００３９】
本発明は、前述した実施形態に限定されず、その要旨を逸脱しない範囲で種々変形可能である。
【００４０】
例えば、補助ケース１５は、外周面の曲率や形状が異なるものを複数用意して、髪毛を様々なカールの曲げ度合いや形状に対応するようにしても良い。
【００４１】
補助ケース１５は、対向する一方及び他方の腕部３、５に各々設けることに限らず、一方の腕部３（５）にのみ設けるものであっても良い。
【００４２】
カール部１３の外周面に沿って形成する突条２０は、図９に示すように、カール部１３の長手方法に対して角度を成して形成しても良い。グリップ９を斜めに構えて、髪毛を巻き上げても、髪毛束をスムーズに隣り合う突条２０の間に分け入れることができる。これと同様に、補助ケース１５の外周面に形成する突条２４を、補助ケース１５の長手方向に対して角度を成して形成しても良い。
【００４３】
外周面に形成する突条２４の数や形状の異なる補助ケース１５を複数用意して、髪毛の巻き上げ量等に応じて、隣り合う突条２４の間に分け入れる髪毛束の量を調整するようにしても良い。
【符号の説明】
【００４４】
１      ヘアーアイロン
９      グリップ
１１    発熱部
１３    カール部
１５    補助ケース
１７    係合部
１９    被係合部
２０    カール部の突条
２２    段部
２４    補助部材の突条
【図１】
0005126749.tif 000002
【図２】
0005126749.tif 000003
【図３】
0005126749.tif 000004
【図４】
0005126749.tif 000005
【図５】
0005126749.tif 000006
【図６】
0005126749.tif 000007
【図７】
0005126749.tif 000008
【図８】
0005126749.tif 000009
【図９】
0005126749.tif 000010